(57)【要約】【課題】装填される携帯端末に接続する充電端子及び信号端子を備える携帯端末装填装置において、通信エラーを回避する。【解決手段】充電端子２２への電源線に設けられ、充電回路をＯＮ／ＯＦＦする電源線スイッチ２４と、信号端子２３への信号線に設けられ、信号回路をＯＮ／ＯＦＦする信号線スイッチ２５と、携帯端末の装填動作に基づいて、充電端子２２及び信号端子２３が携帯端末にそれぞれ接続された後に、先に電源線スイッチ２４をＯＮ動作させてから次に信号線スイッチ２５をＯＮ動作させるスイッチ動作手段３と、を備える。スイッチ動作手段３は、携帯端末の装填動作で押されるスイッチ釦３１と、その動作に連動し、先に電源線スイッチ２４をＯＮ動作させる第１スイッチ動作部材３２と、次に信号線スイッチ２５をＯＮ動作させる第２スイッチ動作部材３３と、を共通の回動軸３０に一体化してなる。【選択図】図５
2006128996.tif 000002
【特許請求の範囲】
【請求項１】
装填される携帯端末に接続する充電端子及び信号端子を備え、充電及びデータ通信を可能とする携帯端末装填装置であって、
充電端子への電源線に設けられ、充電回路をＯＮ／ＯＦＦする電源線スイッチと、
信号端子への信号線に設けられ、信号回路をＯＮ／ＯＦＦする信号線スイッチと、
携帯端末の装填動作に基づいて、充電端子及び信号端子が携帯端末にそれぞれ接続された後に、先に電源線スイッチをＯＮ動作させてから次に信号線スイッチをＯＮ動作させるスイッチ動作手段と、を備えることを特徴とする携帯端末装填装置。
【請求項２】
前記スイッチ動作手段は、携帯端末の装填動作で押されるスイッチ釦と、スイッチ釦の動作に連動し、先に電源線スイッチをＯＮ動作させる第１スイッチ動作部材と、次に信号線スイッチをＯＮ動作させる第２スイッチ動作部材と、を備えることを特徴とする請求項１に記載の携帯端末装填装置。
【請求項３】
前記スイッチ釦、第１スイッチ動作部材及び第２スイッチ動作部材は、共通の回動軸に一体化して設けられていることを特徴とする請求項２に記載の携帯端末装填装置。
【請求項４】
前記第１スイッチ動作部材及び第２スイッチ動作部材は、外形形状または回動軸に対する角度位置を異ならせたカム部材であることを特徴とする請求項３に記載の携帯端末装填装置。
【請求項５】
携帯端末を装填状態に保持する装填保持手段を備えることを特徴とする請求項１から４のいずれか一項に記載の携帯端末装填装置。
【発明の詳細な説明】
【技術分野】
【０００１】
本発明は、充電及びデータ通信が可能な携帯端末装填装置に関する。
【背景技術】
【０００２】
携帯電話機の充電器において、携帯電話機を載置すると充電回路をＯＮにして外すとＯＦＦにするスイッチを備えたものがある（例えば特許文献１参照）。これにより、不用意に充電器の給電端子に手指が触れても、感電の虞はない。
最近では、充電及びデータ通信を行なう機能を持った卓上ホルダ（ＵＳＢクレードル）が実用に供されている。この種の卓上ホルダは、充電端子及び信号端子とともに、電源線スイッチと信号線スイッチとを備える。
【特許文献１】特開２００３−３４８２０９号公報
【発明の開示】
【発明が解決しようとする課題】
【０００３】
しかし、充電端子及び信号端子を備える卓上ホルダは、携帯電話機の装填時に、例えば信号線スイッチＯＮ状態で、信号端子が電源端子より先に接触した場合、通信エラーを起こしてしまう。このため、装填し直しても再び通信エラーを起こしてしまうことが考えられる。
なお、充電端子バネと信号端子バネの長さを調整して、接触する順番を定めるようにすることも考えられるが、卓上ホルダに対する携帯電話機の装填の仕方には方向や入れ方の多様性があり、対応できない。
【０００４】
本発明の課題は、装填される携帯端末に接続する充電端子及び信号端子を備える携帯端末装填装置において、通信エラーを回避することである。
【課題を解決するための手段】
【０００５】
以上の課題を解決するため、請求項１に記載の発明は、例えば図１、図４から図９、図１１及び図１２に示すように、装填される携帯端末１に接続する充電端子２２及び信号端子２３を備え、充電及びデータ通信を可能とする携帯端末装填装置２であって、充電端子２２への電源線に設けられ、充電回路をＯＮ／ＯＦＦする電源線スイッチ２４と、信号端子２３への信号線に設けられ、信号回路をＯＮ／ＯＦＦする信号線スイッチ２５と、携帯端末１の装填動作に基づいて、充電端子２２及び信号端子２３が携帯端末１にそれぞれ接続された後に、先に電源線スイッチ２４をＯＮ動作させてから次に信号線スイッチ２５をＯＮ動作させるスイッチ動作手段３と、を備えることを特徴とする。
【０００６】
請求項１に記載の発明によれば、携帯端末の装填動作に基づいて、充電端子及び信号端子が携帯端末にそれぞれ接続された後に、スイッチ動作手段により先に電源線スイッチがＯＮ動作されてから次に信号線スイッチがＯＮ動作されるので、必ずまず電源が入力されてから次に信号が入力される。従って、通信エラーが回避され、確実に充電と同時にデータ通信が行える。
【０００７】
請求項２に記載の発明は、請求項１に記載の携帯端末装填装置２であって、例えば図１、図４から図９、図１１及び図１２に示すように、前記スイッチ動作手段３は、携帯端末１の装填動作で押されるスイッチ釦３１と、スイッチ釦３１の動作に連動し、先に電源線スイッチ２４をＯＮ動作させる第１スイッチ動作部材３２と、次に信号線スイッチ２５をＯＮ動作させる第２スイッチ動作部材３３と、を備えることを特徴とする。
【０００８】
請求項２に記載の発明によれば、携帯端末の装填動作により押されるスイッチ釦の動作に連動して、第１スイッチ動作部材により先に電源線スイッチがＯＮ動作された後、続いて第２スイッチ動作部材により次に信号線スイッチがＯＮ動作される。
【０００９】
請求項３に記載の発明は、請求項２に記載の携帯端末装填装置２であって、例えば図５から図９、図１１及び図１２に示すように、前記スイッチ釦３１、第１スイッチ動作部材３２及び第２スイッチ動作部材３３は、共通の回動軸３０に一体化して設けられていることを特徴とする。
【００１０】
請求項３に記載の発明によれば、携帯端末の装填動作でスイッチ釦が押されると、回動軸が一体に回動すると同時に、第１スイッチ動作部材及び第２スイッチ動作部材も一体に回動し、機械的に、第１スイッチ動作部材の回動で先に電源線スイッチがＯＮ動作された後、続いて第２スイッチ動作部材の回動で次に信号線スイッチがＯＮ動作される。
【００１１】
請求項４に記載の発明は、請求項３に記載の携帯端末装填装置２であって、例えば図５から図９、図１１及び図１２に示すように、前記第１スイッチ動作部材３２及び第２スイッチ動作部材３３は、外形形状または回動軸３０に対する角度位置を異ならせたカム部材であることを特徴とする。
【００１２】
請求項４に記載の発明によれば、カム部材の外形形状または回動軸に対する角度位置を異ならせた第１スイッチ動作部材及び第２スイッチ動作部材とすることで、機械的に必ず先行して電源線スイッチをＯＮ動作させた後、続いて次に信号線スイッチをＯＮ動作させられる。
【００１３】
請求項５に記載の発明は、請求項１から４のいずれか一項に記載の携帯端末装填装置２であって、例えば図１、図３から図５に示すように、携帯端末１を装填状態に保持する装填保持手段５・６を備えることを特徴とする。
【００１４】
請求項５に記載の発明によれば、装填保持手段により携帯端末が装填状態に保持されることで、確実に充電状態とデータ通信状態が維持される。
【発明の効果】
【００１５】
本発明によれば、携帯端末の装填動作に基づいて、充電端子及び信号端子が携帯端末にそれぞれ接続された後に、スイッチ動作手段により先に電源線スイッチをＯＮ動作し、次に信号線スイッチをＯＮ動作することによって、必ずまず電源を入力してから次に信号を入力するため、通信エラーを回避できる。これにより、確実に充電と同時にデータ通信を行うことができる。
【発明を実施するための最良の形態】
【００１６】
以下、図を参照して本発明を実施するための最良の形態を詳細に説明する。
本発明を適用した一実施形態の構成を示す図１において、１は携帯端末である携帯電話機、２は携帯端末装填装置としての卓上ホルダ（ＵＳＢクレードル）である。
実施形態において、携帯電話機１は、図２及び図３に示すように、一対の筐体１０・１１をヒンジ結合した折り畳み式のもので、一方の筐体１１の一側面に充電端子面１２及び信号端子面１３を備えている。図示例では、一対の充電端子面１２の間に三個の信号端子面１３が並んでおり、この充電端子面１２及び信号端子面１３の離れた部分がスイッチ釦動作面１４となっている。
なお、筐体１１には、ヒンジ結合部側の端面に凹部によるロック面１５が形成されて、他端面にロック穴１６が形成されている。
【００１７】
卓上ホルダ２は、図４及び図５に示すように、下ケース２０、基板２１、上ケース２６及びカバー２７などにより構成されている。
下ケース２０の上方に位置する基板２１には、図６に拡大して示したように、充電端子２２及び信号端子２３が搭載されるとともに、電源線スイッチ２４及び信号線スイッチ２５が搭載されている。充電端子２２及び信号端子２３はバネ状のもので、一対の充電端子２２の間に三本の信号端子２３が並んでおり、三本の信号端子２３に対しその両側の充電端子２２の方が高い（上方に長い）ものとなっている。
この充電端子２２及び信号端子２３の側方に電源線スイッチ２４及び信号線スイッチ２５が離れて配置されている。電源線スイッチ２４及び信号線スイッチ２５は上面に突出するスイッチ操作子２４ａ・２５ａを備えている。
【００１８】
下ケース２０と合体される上ケース２６は、上面に充電端子２２及び信号端子２３を通す五本のスリット２６ａと、その側方の小孔２６ｂを有するとともに、両側部に上方への突出部２６ｃ・２６ｄと、その内側に位置するガイド片２６ｅと、五本のスリット２６ａを囲む形状のシャッター組込孔２６ｆを有する樹脂一体成形品である。後述するように、五本のスリット２６ａに充電端子２２及び信号端子２３が対応し、小孔２６ｂにスイッチ釦３１が対応し、突出部２６ｃ・２６ｄにロックアーム５・６がそれぞれ対応する。
カバー２７は、上ケース２６の突出部２６ｃ・２６ｄを含む部分の外側に嵌め込むようにして装着される。
【００１９】
スイッチ動作手段３は、図７から図９に拡大して示したように、回動軸３０にスイッチ釦３１と第１スイッチ動作部材３２及び第２スイッチ動作部材３３を樹脂一体成形して、リターンスプリング３４を設けたものである。
すなわち、回動軸３０の中央にスイッチ釦３１が形成されるとともに、その両側に離れた第１スイッチ動作部材である電源線スイッチ動作カム３２と、第２スイッチ動作部材である信号線スイッチ動作カム３３が形成されている。これらスイッチ釦３１と電源線スイッチ動作カム３２及び信号線スイッチ動作カム３３は、回動軸３０のほぼ直径方向に対向するよう配置されている。
【００２０】
そして、電源線スイッチ動作カム３２及び信号線スイッチ動作カム３３は、外形形状または回動軸３０に対する角度位置を異ならせたものとなっている。また、回動軸３０に対してスイッチ釦３１と反対側にリターンスプリング３４が取り付けられている。
以上のスイッチ動作手段３は、そのスイッチ釦３１を小孔２６ｂに位置させた状態で、回動軸３０の両端部を上ケース２６内に回動自在に軸受して組み付けられている。そして、その回動軸３０と上ケース２６内との間に、上ケース２６に対しスイッチ釦３１を常時上方に付勢するリターンスプリング３４が取り付けられている。
【００２１】
シャッター４は、図１、図４及び図５に示すように、上ケース２６のスリット２６ａに対応する五本のスリット４１を有して、左右一対のアーム部４２を樹脂一体成形したもので、リターンスプリング４３が設けられている。
このシャッター４は、上ケース２６のシャッター組込孔２６ｆに上方から組み付けられるとともに、左右のアーム部４２の先端部で上ケース２６内において揺動自在に組み付けられている。そして、そのアーム部４２と上ケース２６内との間に、上ケース２６に対しシャッター４を常時上方に付勢するリターンスプリング４３が取り付けられている。
【００２２】
装填保持手段は、図５に示すように、左右一対のロックアーム５・６により構成されている。
すなわち、上ケース２６の突出部２６ｃ・２６ｄの内側に、左右のロックアーム５・６がそれぞれ回動自在に組み込まれており、このロックアーム５・６は上端に内側に向けて突出するロック爪５１・６１を有する樹脂製品である。このロックアーム５・６と上ケース２６の突出部２６ｃ・２６ｄ内との間に、ロック爪５１・６１を常時内側方向に付勢するリターンスプリング５２・６２がそれぞれ組み付けられている。
【００２３】
以上のスイッチ動作手段３、シャッター４及びロックアーム５・６を組み込んで前記基板２１を組み付けた上ケース２６に、下ケース２０が合体される。これにより、上ケース２６のスリット２６ａから上方に充電端子２２及び信号端子２３がそれぞれ突出するとともに、小孔２６ｂから上方にスイッチ釦３１が突出する。
但し、携帯電話機１の非装填状態では、図１及び図４に示したように、リターンスプリング４３により常時上方に付勢されたシャッター４によって、充電端子２２及び信号端子２３は覆われた非露出状態となっている。
【００２４】
以上の部品構成による卓上ホルダ２において、携帯電話機１を装着する場合、まず充電端子２２が充電端子面１２に接触し、続いて信号端子２３が信号端子面１３に接触した後、スイッチ釦３１がスイッチ釦動作面１４に接触する順番に予め設定されている。
そして、スイッチ釦３１がスイッチ釦動作面１４に押し下げられて回動軸３０が回動すると、図８及び図９に示すように、まず電源線スイッチ動作カム３２が電源線スイッチ２４のスイッチ操作子２４ａに接触し、続いて信号線スイッチ動作カム３３が信号線スイッチ２５のスイッチ操作子２５ａに接触する順番に予め設定されている。
なお、携帯電話機１の入れ方によっては、端子より先にスイッチ釦動作面１４がスイッチ釦３１に接触する可能性もある。しかし、以上の端子接触とスイッチ入力の順は、充電端子２２→信号端子２３→電源線スイッチ２４→信号線スイッチ２５である。
【００２５】
図１０は卓上ホルダ２のブロック構成を示したもので、図示のように、電源線スイッチ２４及び信号線スイッチ２５を並列に備える回路ブロック７には、ＡＣアダプタ８及びＵＳＢコネクタ９が備えられている。ＵＳＢコネクタ９はパソコン１００に接続される。
【００２６】
次に、卓上ホルダ２への携帯電話機１の装填セットについて説明する。
図１１は携帯電話機１を卓上ホルダ２のカバー２７内に挿入して携帯電話機１がスイッチ釦３１に接触する直前の状態を示したものである。
この状態において、携帯電話機１の側面によりシャッター４がリターンスプリング４３の付勢に抗して押し下げられ、そのスリット４１を経て左右の充電端子２２が充電端子面１２にそれぞれ接触した後、充電端子２２間の信号端子２３が信号端子面１３にそれぞれ接触した状態となっている。
この時、図６、図８及び図９に示したように、電源線スイッチ動作カム３２及び信号線スイッチ動作カム３３は、電源線スイッチ２４及び信号線スイッチ２５のスイッチ操作子２４ａ・２５ａを未だ押す前の状態にある。
【００２７】
さらに、携帯電話機１を卓上ホルダ２に押し込むと、図１２に示すように、携帯電話機１のスイッチ釦動作面１４がスイッチ釦３１に接触して、スイッチ釦３１を押し下げる。これにより回動軸３０がリターンスプリング３４の付勢に抗して回動し、まず図８（ａ）及び図９（ａ）に示す状態から電源線スイッチ動作カム３２が電源線スイッチ２４のスイッチ操作子２４ａに接触し、スイッチ操作子２４ａを押し込む。これにより電源線スイッチ２４がＯＮ動作し、充電が開始される。
その後、続いて信号線スイッチ動作カム３３が信号線スイッチ２５のスイッチ操作子２５ａに接触し、スイッチ操作子２５ａを押し込む。これにより信号線スイッチ２５がＯＮ動作し、携帯電話機１とパソコン１００との間で卓上ホルダ２を介してデータの送受信が行なわれる。
【００２８】
この状態は、携帯電話機１（筐体１１）のロック面１５及びロック穴１６に、卓上ホルダ２のロックアーム５・６のロック爪５１・６１がリターンスプリング５２・６２により付勢されて係合することで保持される。すなわち、これにより携帯電話機１が卓上ホルダ２に装填状態に保持されて、充電状態とデータ送受信状態が確実に維持される。
【００２９】
このように、必ずまず電源を入力してから次に信号を入力するため、通信エラーを回避でき、確実に充電と同時にデータ送受信できるといった利点が得られる。
また、充電及びデータ送受信後は、卓上ホルダ２に対し携帯電話機１を上方に持ち上げることで、ロック面１５及びロック穴１６からロックアーム５・６のロック爪５１・６１がリターンスプリング５２・６２の付勢に抗して外れるとともに、スイッチ動作手段３（回動軸３０、スイッチ釦３１、電源線スイッチ動作カム３２及び信号線スイッチ動作カム３３）、シャッター４、ロックアーム５・６がリターンスプリング３４・４３・５２・６２の付勢によりそれぞれ初期状態に復帰する。
【００３０】
なお、以上の実施形態においては、卓上ホルダ（ＵＳＢクレードル）としたが、本発明はこれに限定されるものではなく、例えば壁掛け式ホルダであっても良く、要は充電及びデータ通信が可能な携帯端末装填装置であれば良い。
同じく実施形態では、折り畳み式携帯電話機の一側面に端子面を設けたが、長さ方向の一端面に設けても良く、すなわち、携帯端末の装填方式は実施形態の横向きに限らず縦向きでもよい。また、折り畳み式でない一体型の携帯電話機にも本発明は適用可能である。
そして、実施形態では、端子部とスイッチ釦を同一面に設けたが、異なる面に設けても良い。
また、携帯端末装填装置に装填されるものは、実施形態の携帯電話機に限らずＰＤＡなど他の携帯端末であっても良い。
その他、端子やスイッチの具体的な細部構造等についても適宜に変更可能であることは勿論である。
【図面の簡単な説明】
【００３１】
【図１】本発明を適用した一実施形態の構成を示すもので、携帯端末装填装置への携帯端末の装填の仕方を示した概略正面図である。
【図２】図１の携帯端末を下方から見た底面図である。
【図３】携帯端末を示すもので、一端側から示した斜視図（ａ）と他端側から示した斜視図（ｂ）である。
【図４】携帯端末装填装置を示した斜視図である。
【図５】図４の携帯端末装填装置の分解斜視図である。
【図６】図５の基板部分の拡大図である。
【図７】図５のスイッチ動作手段部分の拡大図である。
【図８】スイッチ釦、電源線スイッチ及び信号線スイッチとそれぞれのスイッチ動作部材の関係を示すもので、電源線スイッチ及びそのスイッチ動作部材との関係を示した側面図（ａ）と信号線スイッチ及びそのスイッチ動作部材との関係を示した側面図（ｂ）である。
【図９】図８の要部拡大図（ａ）（ｂ）である。
【図１０】携帯端末装填装置のブロック構成図である。
【図１１】携帯端末装填装置への携帯端末の装填において、携帯端末がスイッチ釦に接触する直前の状態を示した側面図である。
【図１２】携帯端末がスイッチ釦を完全に押し切った状態を示した側面図である。
【符号の説明】
【００３２】
１  携帯端末
１０・１１  筐体
１２  充電端子面
１３  信号端子面
１４  スイッチ釦動作面
１５  ロック面
１６  ロック穴
２  携帯端末装填装置
２０・２６  ケース
２１  基板
２２  充電端子
２３  信号端子
２４  電源線スイッチ
２５  信号線スイッチ
２７  カバー
３  スイッチ動作手段
３０  回動軸
３１  スイッチ釦
３２  第１スイッチ動作部材
３３  第２スイッチ動作部材
３４  リターンスプリング
４  シャッター
４３  リターンスプリング
５・６  装填保持手段
５１・６１  ロック爪
５２・６２  リターンスプリング
【図１】
2006128996.tif 000003
【図２】
2006128996.tif 000004
【図３】
2006128996.tif 000005
【図４】
2006128996.tif 000006
【図５】
2006128996.tif 000007
【図６】
2006128996.tif 000008
【図７】
2006128996.tif 000009
【図８】
2006128996.tif 000010
【図９】
2006128996.tif 000011
【図１０】
2006128996.tif 000012
【図１１】
2006128996.tif 000013
【図１２】
2006128996.tif 000014